(57)【要約】      （修正有）【課題】スカートやネクタイと組み合わせてもプロペラが絡みにくく、変形や破損もしにくい回転する螺旋形ルアーを提供する。【解決手段】螺旋形ルアー２０は、可撓性のある板材において、平面形状の中心部に釣り糸を貫通させる中央貫通孔２１を備えるとともに、板材の外周の一部から中央貫通孔へ向かって切り込むことで外周側の端部から幅の広がる、渦巻きヒレを備える。渦巻きヒレの切り込み端部と中央貫通孔とは離れて位置するように形成される。また、中央貫通孔の内径と一致する外径をなし、釣り竿に繋がるライン１０を貫通させるルアー用パイプ１９が中央貫通孔を貫通し、ラインを中心として回転自在となるように形成される。板材の平面形状を円形とし、渦巻きヒレの切り込みは、サイクロイド曲線とするのが好ましい。【選択図】図３
0003196897.tif 000002
【実用新案登録請求の範囲】
【請求項１】
可撓性のある板材において、平面形状の中心部に釣り糸を貫通させる中央貫通孔を備えるとともに、
その板材の外周の一部からその中央貫通孔へ向かって切り込むことで、外周側の端部から幅の広がる渦巻きヒレを備え、
その渦巻きヒレの切り込みの端部と前記の中央貫通孔とは離れて位置するように形成され、
前記の中央貫通孔の内径と一致する外径をなすとともに釣り竿に繋がるラインを貫通させるルアー用パイプが前記の中央貫通孔を貫通することによって前記のラインを中心として回転自在となるように形成された螺旋ルアー。
【請求項２】
前記の板材は、平面形状を円形とし、
前記の渦巻きヒレの切り込みは、サイクロイド曲線とした請求項１に記載の螺旋ルアー。
【請求項３】
前記の板材は、平面形状を点対称および線対称の形状として形成した請求項１に記載の螺旋ルアー。
【考案の詳細な説明】
【技術分野】
【０００１】
本考案は、魚釣りで使用するルアーであって、簡易に製造可能で、且つ回転する螺旋形のルアーに関する。
【背景技術】
【０００２】
従来、魚の餌となる小魚や虫などに似せた疑似餌が使用されている。その疑似餌の中に、魚の餌となる糸ミミズ等の螺旋状に動く虫に似せたルアーがある。従来のルアーとしては、特許文献１、特許文献２、特許文献３などが開発されている。
一方、スカート、ネクタイと呼ばれるルアーを単独で用いる釣りもある。
【０００３】
特許文献１の螺旋形ルアーは、仮想軸に対して傾斜し、一定の幅をもった螺旋を前記の仮想軸の周りに金属等で形成する。螺旋のピッチは終端に向かって大きくなる構成である。この螺旋形ルアーは、多毛類等の虫に類似した形状で、水の抵抗によってルアーが水中で踊り、光が反射して集魚性が良いルアーである。
【０００４】
特許文献２の螺旋形ルアーは、弾力性を有する金属線ワイヤーの少なくとも中間部が螺旋状に形成される。そのワイヤーにビーズを連続して固定した棒状構造である。集魚性に優れたルアーである。前記のワイヤーの一端に釣針を付け、ワイヤーの他端に撚り戻しを介してライン（釣り糸）を連結する。
【０００５】
特許文献３の螺旋形ルアーは、プラスチック製の棒状体を少なくとも螺旋状に形成した棒状構造のルアーである。集魚性に優れたルアーである。前記の棒状体の一端に釣針を付け、棒状体の他端に撚り戻しを介してラインを連結する。
【先行技術文献】
【特許文献】
【０００６】
【特許文献１】特開２０００−２０９９８１号公報
【特許文献２】実用新案登録第３１２７９７９号公報
【特許文献３】実用新案登録第３１２９２１７号公報
【考案の概要】
【考案が解決しようとする課題】
【０００７】
回転するルアーが発する波動が対象魚を呼び寄せる、という考えに基づき、プロペラなどの回転体をルアーとして用いたり、スカートやネクタイと組み合わせたりするルアーもある。その場合、プロペラがスカートやネクタイに絡む場合がある。
【０００８】
また、回転するルアーは、プロペラに硬質素材を使用しているので、何かへ衝突した場合に破損したり変形したりしやすいといった欠点がある。
【０００９】
本考案が解決しようとする課題は、スカートやネクタイと組み合わせても絡みにくく、変形や破損もしにくい回転するルアーを提供することにある。
【課題を解決するための手段】
【００１０】
（第一の考案）
第一の考案は、可撓性のある板材において、平面形状の中心部に釣り糸を貫通させる中央貫通孔(21)を備えるとともに、  前記の板材における外周の一部からその中央貫通孔(21)へ向かって切り込むことで、外周側の端部から幅の広がる渦巻きヒレ(22)を備える。
前記の渦巻きヒレ(22)の切り込みの端部と前記の中央貫通孔(21)とは離れて位置するように形成され、前記の中央貫通孔(21)の内径と一致する外径をなすとともに釣り竿に繋がるライン(10)を貫通させるルアー用パイプ(19)が前記の中央貫通孔(21)を貫通することによって前記のライン(10)を中心として回転自在となる螺旋ルアーである。
「可撓性のある板材」とは、たとえば、熱可塑性樹脂、合成ゴム、シリコンなどである。
なお、「ルアー用パイプ(19)」について、「中央貫通孔(21)の内径と一致する外径をなす」とは、「ライン(10)を中心として回転自在」となればよく、完全一致や全く同一寸法であることを意味しない。
【００１１】
（作用）
ルアー用パイプ(19)がライン(10)に通され、そのルアー用パイプ(19)が螺旋ルアーの中央貫通孔(21)を貫通する。ルアー用パイプ(19)の外径と中央貫通孔(21)の内径とがほぼ一致しているので、ルアー用パイプ(19)に対して螺旋ルアー(20)は回転しにくいが、ライン(10)に通されたルアー用パイプ(19)とともに、螺旋ルアー(20)は回転可能である。
渦巻きヒレ(22)は、外周に向かって幅が狭くなるように形成されており、水流を受けると回転しやすい。
釣り人がライン(10)を介して、この螺旋ルアー(20)をしゃくったとすれば、水流を受けて回転する。ライン(10)を釣り人が引き上げた場合に螺旋ルアー(20)が回転する方向を正回転とすれば、逆回転をする場合もある。逆回転をするのは、この螺旋ルアー(20)に装着された錘などの作用によって沈む方向へ動く場合に受ける水流によって回転する場合である。
【００１２】
（第一の考案のバリエーション１）
第一の考案は、前記の板材の平面形状を円形とし、  前記の渦巻きヒレ(22)の切り込みは、サイクロイド曲線とすれば、好ましい。
【００１３】
（作用）
板材の平面形状が円形であり、渦巻きヒレ(22)の切り込みがサイクロイド曲線である場合、回転が円滑である。また、回転時における変形によって板材へ生じる応力は、分散される。渦巻きヒレ(22)が受ける応力は、周囲から中央へ行くほど大きくなるが、渦巻きヒレ(22)の幅は、周囲から中央へ行くほど太くなるからである。
【００１４】
（第一の考案のバリエーション２）
第一の考案は、前記の板材について、平面形状を点対称および線対称の形状として形成してもよい。
たとえば、正方形、楕円形などである。
【００１５】
（作用）
板材の平面形状が点対称および線対称なので、回転時にバランスが取れている。
正方形を選択した場合には、板材の製造工程において材料のロスが少ない。
【考案の効果】
【００１６】
第一の考案によれば、スカートやネクタイと組み合わせても絡みにくく、変形や破損もしにくい回転するルアーを提供することができた。
【図面の簡単な説明】
【００１７】
【図１】第一の実施形態に係る螺旋形ルアーの組立斜視図である。
【図２】第一の実施形態に係る螺旋形ルアーの斜視図である。
【図３】第一の実施形態に係る螺旋形ルアーが回転する原理を示す図である。
【図４】第一の実施形態に係る螺旋形ルアーの使用状態を示す図である。
【図５】第二の実施形態に係る螺旋形ルアーの斜視図である。
【図６】第三の実施形態に係る螺旋形ルアーの斜視図である。
【考案を実施するための形態】
【００１８】
以下、本考案の実施形態について図面（図１から図５）を参照して説明する。
図１および図２に示すように、第一の実施形態に係る螺旋ルアー２０は、ライン１０の先端に取り付けられたネクタイ３０に対して釣り竿側に位置させ、仕掛け全体の動きに応じて回転する。それによって、ネクタイ３０のみでは行えない疑似餌としての演出をするためのものである。
【００１９】
螺旋ルアー２０は、合成ゴム製の板材において、平面形状の中心部に釣り糸を貫通させる中央貫通孔２１を備えるとともに、前記の板材における外周の一部からその中央貫通孔２１へ向かってサイクロイド曲線にて切り込むことで、外周側の端部から幅の広がる渦巻きヒレ２２を備えている。
【００２０】
ネクタイ３０は釣り針３１を隠すとともに、揺れ動くことで対象魚を引きつける役割を果たす。そのネクタイ３０における釣り針側には、お椀型をした仕掛けキャップ２９をかぶせ、ネクタイ３０の広がりを抑制する。
その仕掛けキャップ２９における釣り竿側には、螺旋ルアー２０がライン１０に沿った移動の範囲を規制するため、細長い筒状のビース用パイプ１２、そのビース用パイプ１２の外形寸法を内径寸法とする球状のビーズ１１、螺旋ルアー２０の回転による消耗を抑制するための軸パイプ１９を備える。
【００２１】
前記のルアー用パイプ１９の外径は、螺旋ルアー２０の中央貫通孔２１の内径と寸法がほぼ同じである。また、螺旋ルアー２０の中央貫通孔２１の内径は、ビーズ１１の外径よりも小さい。したがって、螺旋ルアー２０は、ルアー用パイプ１９を挟むように配置されたビーズ１１，１１の間において移動可能であるが、それ以上の移動は規制されている。
【００２２】
図３および図４を参照させながら、本実施形態の作用を説明する。
ルアー用パイプ１９がライン１０に通され、そのルアー用パイプ１９が螺旋ルアーの中央貫通孔２１を貫通する。ルアー用パイプ１９の外径と中央貫通孔２１の内径とが一致しているので、ルアー用パイプ１９に対して螺旋ルアー２０は回転しにくいが、ライン１０に通されたルアー用パイプ１９とともに、螺旋ルアー２０は回転可能である。
渦巻きヒレ２２は、外周に向かって幅が狭くなるように形成されており、水流を受けると回転しやすい。この回転によって、対象魚に対して、ネクタイ３０とは別の動きや波動という刺激を与えることができる。
【００２３】
釣り人がライン１０を介して、この螺旋ルアー２０をしゃくったとすれば、水流を受けて回転する。
図３や図４に示しているように、ライン１０を釣り人が引き上げる（緊張させる）場合に螺旋ルアー２０が回転する方向を正回転とすれば、逆回転をする場合もある。逆回転をするのは、この螺旋ルアー２０に装着された錘などによって沈む方向へ動く場合に受ける水流によって回転する場合である。
【００２４】
正回転の際に、螺旋ルアー２０の渦巻きヒレ２２の外側はネクタイ３０へ近づくが、その際のネクタイ３０は、受ける水流によってライン１０の軸方向へ収束するようになるため、渦巻きヒレ２２とネクタイ３０とが絡んでしまう事態が抑制される。
【００２５】
図５は、第二の実施形態を示す。
この実施形態では、螺旋ルアー２０Ａを形成する板材の平面形状を正方形としている。
渦巻きヒレ２２は、角張った形状をなすものの、中央貫通孔２１に向かって太くなるように形成されている。したがって、回転時に自らが受ける応力は、均等に分散され、回転も円滑となる。
【００２６】
図６は、第三の実施形態を示す。
この実施形態では、螺旋ルアー２０Ｂを形成する板材の平面形状を楕円形としている。
この実施形態でも渦巻きヒレ２２は、中央貫通孔２１に向かって太くなるように形成されている。したがって、回転時に自らが受ける応力は、均等に分散され、回転も円滑となる。
【産業上の利用可能性】
【００２７】
本考案は、釣り具の製造業、販売業またはレンタル業、アウトドアスポーツのインストラクター事業などにおいて、利用可能性を有する。
【符号の説明】
【００２８】
１０  ;ライン                        １１  ；ビーズ（ストッパ）
１２  ；ビーズ用パイプ
１９  ;ルアー用パイプ
２０  ;螺旋ルアー                    ２０Ａ；正方形螺旋ルアー
２０Ｂ；楕円形螺旋ルアー
２１  ；  中央貫通孔                  ２２  ；渦巻きヒレ
２９  ；仕掛けキャップ
３０  ;ネクタイ                      ３１  釣針
【図１】
0003196897.tif 000003
【図２】
0003196897.tif 000004
【図３】
0003196897.tif 000005
【図４】
0003196897.tif 000006
【図５】
0003196897.tif 000007
【図６】
0003196897.tif 000008